(57)【要約】      （修正有）【課題】移動時の携行性とテント外での設置容易性とが両立した、取り扱い上の利便性に優れる照明器具を提供する。【解決手段】照明器具１は、光を発する１以上の光源と、その光源を収容すると共に、一の開放端、光源と対向する内面、および内面と反対側の外面を含む本体部２０と、光源を覆うように本体部の開放端に取り付けられ、光源からの光を透過する蓋部としてグローブ３０と、本体部の外面に立設された第１の壁４１と、本体部の外面に、第１の壁と対向するように立設された第２の壁４２とを備える。第１の壁および第２の壁は、テントを固定するペグ等の外部の突起物を把持する１以上の把持部４０Ａ、４０Ｂを形成している。【選択図】図１Ｂ
0003199182.tif 000002
【実用新案登録請求の範囲】
【請求項１】
光を発する１以上の光源と、
前記光源を収容すると共に、一の開放端、前記光源と対向する内面、および前記内面と反対側の外面を含む本体部と、
前記光源を覆うように前記本体部の開放端に取り付けられ、前記光源からの光を透過する蓋部と、
前記本体部の外面に立設された第１の壁と、
前記本体部の外面に、前記第１の壁と対向するように立設された第２の壁と
を備え、
前記第１の壁および前記第２の壁は、外部の突起物を把持する１以上の把持部を形成している
照明器具。
【請求項２】
前記第１の壁の上端の位置と前記第２の壁の上端の位置とは、実質的に同じである
請求項１記載の照明器具。
【請求項３】
前記第１の壁および前記第２の壁は、前記１以上の把持部として第１の把持部および第２の把持部を有し、
前記第１の把持部は、前記第１の壁における第１の部分と前記第２の壁における第１の部分とを含んで形成され、
前記第２の把持部は、前記第１の壁における第２の部分と前記第２の壁における第２の部分とを含んで形成されている
請求項１または請求項２に記載の照明器具。
【請求項４】
前記第１の壁における第１の部分と前記第２の壁における第１の部分との距離の最大値は、前記第１の壁における第２の部分と前記第２の壁における第２の部分との距離の最大値と異なっている
請求項３記載の照明器具。
【請求項５】
前記第１の壁における第１の部分、前記第２の壁における第１の部分、前記第１の壁における第２の部分、および前記第２の壁における第２の部分は、いずれも湾曲しており、
前記第１の壁における第１の部分の曲率と、前記第２の壁における第１の部分の曲率とは実質的に同一であり、
前記第１の壁における第２の部分の曲率と、前記第２の壁における第２の部分の曲率とは実質的に同一であり、
前記第１の壁における第１の部分の曲率および前記第２の壁における第１の部分の曲率と、前記第１の壁における第２の部分の曲率および前記第２の壁における第２の部分の曲率とは実質的に異なる
請求項３または請求項４に記載の照明器具。
【請求項６】
前記第１の壁における第１の部分と前記第１の壁における第２の部分とが平坦部を介して間接的に連結されており、
前記第２の壁における第１の部分と前記第２の壁における第２の部分とが平坦部を介して間接的に連結されている
請求項３から請求項５のいずれか１項に記載の照明器具。
【請求項７】
前記第１の壁における第１の部分と前記第１の壁における第２の部分とが直に連結されており、
前記第２の壁における第１の部分と前記第２の壁における第２の部分とが直に連結されている
請求項３から請求項５のいずれか１項に記載の照明器具。
【請求項８】
前記第１の壁および前記第２の壁は、弾性部材からなる
請求項１から請求項７のいずれか１項に記載の照明器具。
【請求項９】
前記第１の壁の高さおよび前記第２の壁の高さは、前記第１の壁の幅および前記第２の壁の幅よりも大きい
請求項１から請求項８のいずれか１項に記載の照明器具。
【請求項１０】
前記外面のうちの前記第１の壁と前記第２の壁との間において、互いに対向するように立設された第３の壁および第４の壁をさらに備え、
前記第３の壁の上端の位置および前記第４の壁の上端の位置は、前記第１の壁の上端の位置および前記第２の壁の上端の位置の双方よりも低く、
前記第３の壁および前記第４の壁は、外部の突起物を把持する第３の把持部を形成している
請求項１から請求項９のいずれか１項に記載の照明器具。
【請求項１１】
前記第３の壁と前記第４の壁とは互いに離間して設けられている
請求項１０に記載の照明器具。
【請求項１２】
前記第３の壁および前記第４の壁は、弾性部材からなる
請求項１０または請求項１１に記載の照明器具。
【請求項１３】
前記第３の壁の幅および前記第４の壁の高さは、前記第３の壁の高さおよび前記第４の壁の幅よりも大きい
請求項１０から請求項１２のいずれか１項に記載の照明器具。
【請求項１４】
前記第１の壁と前記第２の壁とは互いに離間して設けられている
請求項１から請求項１３のいずれか１項に記載の照明器具。
【請求項１５】
前記第１の壁および前記第２の壁は、前記本体部の外面のうち、前記蓋部と反対側に位置する底面に立設されている
請求項１から請求項１４のいずれか１項に記載の照明器具。
【請求項１６】
前記底面における前記第１の壁および前記第２の壁の外側に設けられた第１の高台および第２の高台をさらに備え、
前記第１の高台の上端および前記第２の高台の上端は、前記第１の壁の上端の位置および前記第２の壁の上端の位置と実質的に同等以上の高さに位置する
請求項１から請求項１５のいずれか１項に記載の照明器具。
【請求項１７】
前記第１の高台と前記第１の壁との間に設けられた第１の溝と、
前記第２の高台と前記第２の壁との間に設けられた第２の溝と
をさらに備えた
請求項１６記載の照明器具。
【考案の詳細な説明】
【技術分野】
【０００１】
本開示は、光源を備えた照明器具に関する。
【背景技術】
【０００２】
これまでに、例えば野外活動の際、テントの内外を照らすための照明光をもたらす種々の照明器具が提案されている（例えば特許文献１参照）。
【先行技術文献】
【特許文献】
【０００３】
【特許文献１】特開２０１５−９５３１８号明細書
【考案の概要】
【考案が解決しようとする課題】
【０００４】
しかしながら、これまでの照明器具は、例えば移動時の携行性とテント外での設置容易性との両立が十分に考慮されておらず、取り扱い上、不便であった。
【０００５】
本開示はかかる問題点に鑑みてなされたもので、その目的は、取り扱い上の利便性に優れた照明器具を提供することにある。
【課題を解決するための手段】
【０００６】
本開示の一実施形態としての照明器具は、下記の（１）から（５）の各構成要素を備えている。
（１）光を発する１以上の光源。
（２）光源を収容すると共に、一の開放端、光源と対向する内面、および内面と反対側の外面を含む本体部。
（３）光源を覆うように本体部の開放端に取り付けられ、光源からの光を透過する蓋部。（４）本体部の外面に立設された第１の壁。
（５）本体部の外面に、第１の壁と対向するように立設された第２の壁。
ここで、第１の壁および第２の壁は、外部の突起物を把持する１以上の把持部を形成している。
【０００７】
本開示の一実施形態としての照明器具では、光源を収容する本体部の外面に、１以上の把持部を形成する第１の壁および第２の壁を設けるようにした。このため、例えばテントを固定するペグ（杭）の頭頂部などの突起物を第１の壁と第２の壁との間に差し込むことでその突起物が把持される。これにより、この照明器具全体が固定して設置される。また、その突起物を第１の壁と第２の壁との間から抜くことにより、容易に照明器具が持ち運び可能になる。
【０００８】
本開示の一実施形態としての照明器具では、第１の壁の上端の位置と第２の壁の上端の位置とは実質的に同じであってもよい。その場合、把持部が、より強固に外部の突起物を把持しやすくなる。また、第１の壁の上端および第２の壁の上端が床面もしくは卓上面に接するようにこの照明器具を載置した際の安定性が向上する。
【０００９】
本開示の一実施形態としての照明器具では、第１の壁および第２の壁は第１の把持部および第２の把持部を有し、第１の把持部が第１の壁における第１の部分と第２の壁における第１の部分とを含んで形成され、第２の把持部が第１の壁における第２の部分と第２の壁における第２の部分とを含んで形成されているとよい。２箇所の把持部を有することで、突起物を第１の壁と第２の壁との間に差し込む操作が比較的容易となるからである。また、第１の壁における第１の部分と第２の壁における第１の部分との距離の最大値が、第１の壁における第２の部分と第２の壁における第２の部分との距離の最大値と異なっているとよい。その場合、太さの異なる２種類の突起物に対応することができる。すなわち、突起物の太さに応じて第１の把持部または第２の把持部のいずれかを選択することができる。さらに、第１の壁における第１の部分と第１の壁における第２の部分とが直に連結されており、第２の壁における第１の部分と第２の壁における第２の部分とが直に連結されていてもよい。その場合、外面のうち、第１の把持部および第２の把持部が占める面積が小さくなり、本体部の小型化に有利となる。また、第１の壁における第１の部分と第１の壁における第２の部分とが平坦部を介して間接的に連結されており、第２の壁における第１の部分と第２の壁における第２の部分とが平坦部を介して間接的に連結されていてもよい。第１の壁および第２の壁と突起物の外周面との接触面積が増加し、より安定的に突起物を把持する場合に有利である。
【００１０】
さらに、本開示の一実施形態としての照明器具では、外面のうちの第１の壁と第２の壁との間に形成された凹部と、凹部に立設された第３の壁と、凹部に第３の壁と対向するように立設された第４の壁とをさらに備え、第３の壁の上端の位置および第４の壁の上端の位置が第１の壁の上端の位置および第２の壁の上端の位置の双方よりも低く、第３の壁および第４の壁が外部の突起物を把持する第３の把持部を形成していてもよい。太さの異なる２種類の突起物に対応しつつ、外面に占める把持部の面積を縮小することができ、本体部の小型化に有利となる。
【００１１】
さらに、本開示の一実施形態としての照明器具では、第１の壁および第２の壁が弾性部材からなるとよい。また、第１の壁の高さおよび第２の壁の高さは、第１の壁の幅および第２の壁の幅よりも大きいことが望ましい。外部の突起物に対する着脱がより容易となるうえ、突起物が把持部により、より強固に把持されるからである。また、第１の壁および第２の壁が変形しやすくなり、様々な形状の突起物を把持できるからである。同様の理由により、第３の壁および第４の壁は弾性部材からなり、第３の壁の幅および第４の壁の高さは第３の壁の高さおよび第４の壁の幅よりも大きいとよい。
【００１２】
また、本開示の一実施形態としての照明器具では、第１の壁と第２の壁とは互いに離間して設けられているとよい。第１の壁および第２の壁が変形しやすくなり、様々な形状の突起物を把持できるからである。
【００１３】
また、本開示の一実施形態としての照明器具では、第１の壁および第２の壁は、本体部の外面のうち蓋部と反対側に位置する底面に立設されているとよい。この照明器具を例えば地面に固定されたペグに固定した際に、上方を広く照らすことができ、視認性が向上するからである。
【００１４】
また、本開示の一実施形態としての照明器具では、底面における第１の壁および第２の壁の外側に設けられた第１の高台および第２の高台をさらに備え、第１の高台の上端および第２の高台の上端は、第１の壁の上端の位置および第２の壁の上端の位置と実質的に同等以上の高さに位置するとよい。第１の高台の上端および第２の高台の上端が床面もしくは卓上面に接するようにこの照明器具を載置した際の安定性が向上するからである。
【考案の効果】
【００１５】
本開示の一実施形態としての照明器具によれば、外部の突起物に対する着脱が容易な構造を有するので、優れた取り扱い上の利便性を発揮することができる。
【００１６】
なお、本開示の効果はこれに限定されるものではなく、以下の記載のいずれの効果であってもよい。
【図面の簡単な説明】
【００１７】
【図１Ａ】本開示における一実施の形態に係る照明器具を上方から眺めたときの全体構成を表す斜視図である。
【図１Ｂ】図１Ａに示した照明器具を下方から眺めたときの全体構成を表す斜視図である。
【図２】図１Ａに示した照明器具を表す分解斜視図である。
【図３】図１Ａに示した照明器具を表す正面図である。
【図４】図１Ａに示した照明器具を表す平面図である。
【図５】図１Ａに示した照明器具を表す底面図である。
【図６】図１Ａに示した照明器具の一の断面を表す断面図である。
【図７】図６に示した照明器具の断面と直交する他の断面を表す断面図である。
【図８】図１Ａに示した照明器具の使用例を説明するための斜視図である。
【図９】図１Ａに示した照明器具の使用例を説明するための他の斜視図である。
【図１０】本開示の第１の変形例としての照明器具を表す底面図である。
【図１１Ａ】本開示の第２の変形例としての照明器具を表す底面図である。
【図１１Ｂ】図１１Ａの照明器具の断面を表す断面図である。
【考案を実施するための形態】
【００１８】
以下、本開示の実施の形態について図面を参照して詳細に説明する。なお、説明は以下の順序で行う。
１．実施の形態（光源装置）
２．使用例
３．変形例
【００１９】
＜１．実施の形態＞
［１．１  照明器具１の構成］
図１Ａおよび図１Ｂは、いずれも本開示の一実施の形態としての照明器具１の全体構成を表した斜視図である。ただし、図１Ａは斜め上方から眺めたときの照明器具１を表し、図１Ｂは斜め下方から眺めたときの照明器具１を表す。また、図２は、照明器具１を構成する主な構成要素を分解して表す分解斜視図である。また、図３〜図５は、それぞれ、照明器具１を表す正面図、平面図および底面図である。さらに、図６および図７は、それぞれ、図５に示したＡ−Ａ線およびＢ−Ｂ線に沿った断面を表す断面図である。
【００２０】
照明器具１は、１以上の光源１１を含む光源部１０（図２参照）と、光源部１０（光源１１）を収容する本体部２０と、光源１１を覆うように本体部２０の開放端２０Ｋに取り付けられ、光源１１からの光を透過する蓋部としてのグローブ３０とを備えている。光源１１としては、例えばＬＥＤ（light emitting diode）が好適である。
【００２１】
本体部２０は、図２および図３に示したように、例えば底部２１と、その底部２１の外縁に立設されて光源部１０を取り囲むように設けられた側壁部２２とを有する。底部２１は、光源１１と対向する内面２０Ｓ１と、この内面２０Ｓ１と反対側の外面２０Ｓ２とを含んでいる。側壁部２２における、底部２１と反対側の端部が開放端２０Ｋとなっている。側壁部２２は、例えば、底部２１から開放端２０Ｋへ向かうほど、側壁部２２が取り囲む空間の断面積が拡大するようなホーン形状を有している。すなわち、側壁部２２は、底部２１に対し外側に傾斜して延在している。
【００２２】
照明器具１は、さらに、本体部２０の底部２１における外面２０Ｓ２に立設された第１の壁４１と、同じく本体部２０の底部２１における外面２０Ｓ２に、第１の壁４１と対向するように立設された第２の壁４２とを備えている。第１の壁４１と第２の壁４２とは、例えば互いに離間して設けられている。また、第１の壁４１および第２の壁４２は、例えば樹脂などの弾性部材からなるとよい。さらに、第１の壁４１の高さ４１Ｈおよび第２の壁４２の高さ４２Ｈは、第１の壁４１の幅４１Ｗおよび第２の壁４２の幅４２Ｗよりも大きい（図６参照）。このように互いに隣り合って配置された第１の壁４１および第２の壁
４２は、外部の突起物を把持する１以上の把持部４０（ここでは、把持部４０Ａおよび把持部４０Ｂ）を形成している（図５参照）。
【００２３】
より詳細には、把持部４０Ａは、第１の壁４１における第１の部分４１１と、第２の壁４２における第１の部分４２１とによって形成され、把持部４０Ｂは、第１の壁４１における第２の部分４１２と第２の壁４２における第２の部分４２２とによって形成されている。
【００２４】
第１の壁４１における第１の部分４１１と第２の壁４２における第１の部分４２１との最大の距離Ｄ１は、第１の壁４１における第２の部分４１２と第２の壁４２における第２の部分４２２との最大の距離Ｄ２と異なっている（例えばＤ１＜Ｄ２）。
【００２５】
また、第１の壁４１における第１の部分４１１、第２の壁４２における第１の部分４２１、第１の壁４１における第２の部分４１２、および第２の壁４２における第２の部分４２２は、いずれも湾曲している。ここで、第１の壁４１における第１の部分４１１の曲率と、第２の壁４２における第１の部分４２１の曲率とは実質的に同一であるとよい。また、第１の壁４１における第２の部分４１２の曲率と、第２の壁４２における第２の部分４２２の曲率とは実質的に同一であるとよい。さらに、第１の部分４１１の曲率および第１の部分４２１の曲率と、第２の部分４１２の曲率および第２の部分４２２の曲率とは実質的に異なる。
【００２６】
また、第１の壁４１において、第１の部分４１１と第２の部分４１２とは、平坦部４１３を介して間接的に連結されている。第２の壁４２において、第１の部分４２１と第２の部分４２２とは、平坦部４２３を介して間接的に連結されている。
【００２７】
本体部２０の底部２１における外面２０Ｓ２には、第１の壁４１および第２の壁４２の外側に、それぞれ第１の溝４５および第２の溝４６を介して設けられた第１の高台４７および第２の高台４８がさらに設けられている。
【００２８】
図６に示したように、第１の壁４１の上端４１Ｔの高さ位置と第２の壁４２の上端４２Ｔの高さ位置とは、実質的に同じであるとよい。さらに、第１の高台４７の上端４７Ｔおよび第２の高台４８の上端４８Ｔは、第１の壁４１の上端４１Ｔの位置および第２の壁４２の上端４２Ｔの位置と実質的に同等以上の高さに位置するとよい。
【００２９】
図６に示したように、本体部２０の底部２１における外面２０Ｓ２には、第１の壁４１、第２の壁４２、第１の高台４７および第２の高台４８を全て取り囲むように、ゴムなどのリング状のパッキンが収容されるパッキン収容溝４９が設けられているとよい。
【００３０】
光源部１０は、光源１１のほか、電源としての電池を収容して保持するホルダー１２を有している。光源１１は、ホルダー１２に固定されており、電池からの電圧が図示しない配線により供給されるようになっている。
【００３１】
グローブ３０は、例えば半球状のドームであり、光源部１０を本体部２０と共に取り囲んでいる。グローブ３０は、例えばポリカーボネートなどの透明樹脂により形成されている。さらに、グローブ３０においては、例えば光源１１からの光が入射する内面に、縦溝３１Ａおよび横溝３１Ｂがそれぞれ複数設けられている。溝３１Ａは、頭頂部に設けられた凹部３２を起点として外縁３０Ｋに向けて放射状に伸びており、横溝３１Ｂは、凹部３２を中心とする円の円周方向に伸びている。縦溝３１Ａおよび横溝３１Ｂは、光源１１からの入射光を適度に散乱させ、より広範囲を照らす照射光が得られるように機能する。なお、各図では、一例として、等間隔で配置された８本の縦溝３１Ａと２本の横溝３１Ｂとを有するグローブ３０を示しているが、本技術はこれに限定されるものではない。グローブ３０には、さらに、縦溝３１Ａおよび横溝３１Ｂに取り囲まれた領域（例えば３０Ｒ）の内面に、例えばシボ加工により形成された微細な凹凸構造が形成されていてもよい。
【００３２】
［１．２  照明器具１の作用効果］
次に、本実施の形態の照明器具１の作用効果について説明する。
【００３３】
本実施の形態の照明器具１では、光源１１を収容する本体部１０の外面２０Ｓ２に、把持部４０Ａ，４０Ｂを形成する第１の壁４１および第２の壁４２を設けるようにした。このため、例えばテントを固定するペグ（杭）の頭頂部などの突起物を第１の壁４１と第２の壁４２との間に差し込むことでその突起物が把持される。これにより、この照明器具１全体が固定して設置される。また、その突起物を第１の壁４１と第２の壁４２との間から抜くことにより、容易に照明器具１が持ち運び可能になる。
【００３４】
照明器具１では、第１の壁４１の上端４１Ｔの高さ位置と第２の壁４２の上端４２Ｔの高さ位置とが実質的に同じであるので、把持部４０Ａ，４０Ｂが、より強固に外部の突起物を把持しやすくなる。また、第１の壁４１の上端４１Ｔおよび第２の壁４２の上端４２Ｔが床面もしくは卓上面に接するようにこの照明器具１を載置した際の安定性が向上する。
【００３５】
照明器具１では、把持部４０Ａが第１の壁４１における第１の部分４１１と第２の壁４２における第１の部分４２１とにより形成され、把持部４０Ｂが第１の壁４１における第２の部分４１２と第２の壁４２における第２の部分４２２とにより形成されている。このように２箇所の把持部（把持部４０Ａ，４０Ｂ）を有することで、突起物を第１の壁４１と第２の壁４２との間に差し込む操作が比較的容易となる。また、第１の壁４１における第１の部分４１１と第２の壁４２における第１の部分４２１との最大の距離Ｄ１が、第１の壁４１における第２の部分４１２と第２の壁４２における第２の部分４２２との最大の距離Ｄ２と異なるようにしたので、太さの異なる２種類の突起物に対応することができる。すなわち、突起物の太さに応じて把持部４０Ａまたは把持部４０Ｂのいずれかを選択することができる。また、第１の壁４１における第１の部分４１１と第１の壁４１における第２の部分４１２とが平坦部４１３を介して間接的に連結されており、第２の壁４２における第１の部分４２１と第２の壁４２における第２の部分４２２とが平坦部４２３を介して間接的に連結されているので、第１の壁４１および第２の壁４２と突起物の外周面との接触面積が増加し、より安定的に突起物を把持する場合に有利である。
【００３６】
さらに、照明器具１では、第１の壁４１および第２の壁４２が弾性部材からなり、また、第１の壁４１の高さ４１Ｈおよび第２の壁４２の高さ４２Ｈは、第１の壁４１の幅４１Ｗおよび第２の壁４２の幅４２Ｗよりも大きくなるようにしたので、突起物に対する着脱がより容易となるうえ、突起物が把持部４０Ａまたは把持部４０Ｂにより、より強固に把持される。また、第１の壁４１および第２の壁４２が変形しやすくなり、様々な形状の突起物を把持できる。
【００３７】
また、照明器具１では、第１の壁４１と第２の壁４２とは互いに離間して設けられているので、第１の壁４１および第２の壁４２が変形しやすくなり、様々な形状の突起物を把持できる。
【００３８】
また、照明器具１では、第１の壁４１および第２の壁４２は、本体部２０の底面としての外面２０Ｓ２に立設されているので、この照明器具１を例えば地面に固定されたテントのペグに固定した際に、上方を広く照らすことができ、視認性が向上する。
【００３９】
また、照明器具１では、第１の高台４７および第２の高台４８をさらに備え、第１の高台４７の上端４７Ｔおよび第２の高台４８の上端４８Ｔが、第１の壁４１の上端４１Ｔの位置および第２の壁４２の上端４２Ｔの位置と実質的に同等以上の高さに位置するようにしたので、第１の高台４７の上端４７Ｔおよび第２の高台４８の上端４８Ｔが床面もしくは卓上面に接するように、この照明器具１を安定して載置できる。さらに、第１の壁４１と第１の高台４７との間に第１の溝４５を形成し、第２の壁４２と第１の高台４８との間に第１の溝４６を形成するようにしたので、把持部４０Ａまたは把持部４０Ｂに突起物を挿入した際に、第１の壁４１および第２の壁４２が外側に倒れるように変形する（撓む）ことができる。このため、突起物の形状（個体差など）に柔軟に対応しつつ、突起物が把持部４０Ａまたは把持部４０Ｂにより、より強固に把持される。
【００４０】
このように、本実施の形態の照明器具１によれば、外部の突起物に対する着脱が容易な構造を有するので、優れた取り扱い上の利便性を発揮することができる。
【００４１】
＜２．使用例＞
次に、図８および図９を参照して、上記実施の形態の照明器具１の使用例について説明する。
【００４２】
図８および図９に示したように、照明器具１は、例えばテントを設営する際にそのテントを地面に固定するペグ５０の頭部５１に固定される。具体的には、ペグ５０の頭部５１を、照明器具１の底部２１に形成された把持部４０Ａまたは把持部４０Ｂに対し、図８に示した矢印の方向に差し込む。これにより、第１の壁４１と第２の壁４２との間にペグ５０の頭部５１が挟持される。ペグ５０の胴部５２は地面に打ち込まれるので、ペグ５０が地面に固定される。その結果、ペグ５０の頭部５１を挟持する照明器具１も固定される。なお、照明器具１は、把持部４０Ａまたは把持部４０Ｂからペグ５０の頭部５１を抜くことにより、容易にペグ５０から取り外すことができる。
【００４３】
このように、照明器具１は、テント設営時において容易に設置でき、テント周辺に照明光をもたらすことができる。さらに、照明器具１は、ペグ５０に対して容易に着脱可能であるので、必要に応じて適宜携行し、照明光を必要とする場所へ移動させることができる。
【００４４】
＜３．変形例＞
［３．１  第１の変形例］
次に、図１０を参照して、本開示の第１の変形例としての照明器具１Ａについて説明する。図１０は、照明器具１Ａの底面の構成を表す底面図である。上記実施の形態では、第１の壁４１における第１の部分４１１と第１の壁４１における第２の部分４１２とが平坦部４１３を介して間接的に連結され、第２の壁４２における第１の部分４２１と第２の壁４２における第２の部分４２２とが平坦部４２３を介して間接的に連結されるようにした。これに対し、本変形例としての照明器具１Ａでは、図１０に示したように、第１の壁４１における第１の部分４１１と第１の壁４１における第２の部分４１２とが直に連結されており、第２の壁４２における第１の部分４２１と第２の壁４２における第２の部分４２２とが直に連結されていてもよい。なお、照明器具１Ａでは、第１の壁４１および第２の壁４２を取り囲むように、１つの溝６１と、１つの高台６２とが順に設けられている。        
【００４５】
本変形例では、上記の構成を有することにより、外面２０Ｓ２において第１の把持部４０Ａおよび第２の把持部４０Ｂが占める面積が小さくなり、本体部２０の小型化に有利となる。
【００４６】
［３．２  第２の変形例］
次に、図１１Ａおよび図１１Ｂを参照して、本開示の第２の変形例としての照明器具１Ｂについて説明する。図１１Ａは、照明器具１Ｂの底面の構成を表す底面図である。図１１Ｂは、図１１Ａの、Ｃ−Ｃ線に沿った断面図である。照明器具１Ｂは、外面２０Ｓ２のうちの第１の壁４１と第２の壁４２との間（内側）に形成された第３の壁４３および第４の壁４４をさらに有している。第３の壁４３および第４の壁４４は、互いに対向するように配置されている。ここで、第１の壁４１および第２の壁４２は、全体として１つの把持部４０Ａを形成しており、第３の壁４３および第４の壁４４もまた、全体として１つの把持部４０Ｃを形成している。第３の壁４３の上端４３Ｔの位置および第４の壁４４の上端４４Ｔの位置が第１の壁４１の上端４１Ｔの位置および第２の壁４２の上端４２Ｔの位置の双方よりも低くなっている。さらに、第１の壁４１および第２の壁４２の外側には、環状の溝６１を介して環状の高台６２が設けられている。なお、第３の壁４３と第４の壁４４とは、互いに離間して設けられているとよい。また、第３の壁４３および第４の壁４４は、例えば樹脂などの弾性部材からなるとよい。
【００４７】
本変形例では、上記の構成を有することにより、太さの異なる２種類の突起物に対応しつつ、外面２０Ｓ２に占める把持部４０Ｃの面積を縮小することができ、本体部の小型化に有利となる。
【００４８】
以上、実施の形態および変形例を挙げて本開示を説明したが、本開示は上記実施の形態等に限定されるものではなく、種々の変形が可能である。例えば、上記実施の形態において説明した各構成要素の材料や配置などは一例であってこれに限定されるものではなく、他の材料や配置としてもよい。
【００４９】
例えば、上記実施の形態等では、光源としてＬＥＤを例示したが、本開示の光源はこれに限定されるものではなく、蛍光管などであってもよい。
【００５０】
また、上記実施の形態等では、異なる寸法（外径）を有する２つの突起物に対応可能な２種類の把持部を備えた場合について説明したが、本開示では３種類以上の把持部を備えるようにしてもよい。また、各把持部の大きさ、すなわち、第１の壁および第２の壁のうち複数の把持部を構成する部分の最大幅は、把持部ごとに異なっていてもよいし、一部または全部が一致していてもよい。また、把持部の平面形状は円形に限定されるものではなく、例えば、楕円形や多角形（三角形や四角形など）であってもよい。
【００５１】
また、上記実施の形態等では、本体部の底面に把持部を設けるようにしたが、本開示では、本体部の外面の任意の場所に把持部を設けることができる。
【００５２】
なお、本明細書中に記載された効果はあくまで例示であってその記載に限定されるものではなく、他の効果があってもよい。
【符号の説明】
【００５３】
１，１Ａ，１Ｂ…照明器具、１０…光源部、１１…光源、２０…本体部、２１…底部、２２…側壁部、３０…グローブ、３１Ａ…縦溝、３１Ｂ…横溝、３２…凹部、４０（４０Ａ，４０Ｂ，４０Ｃ）…把持部、４１〜４４…第１〜第４の壁、４１Ｔ〜４４Ｔ…上端、４５…第１の溝、４６…第２の溝、４７…第１の高台、４８…第２の高台、４９…パッキン収容溝、５０…ペグ。
【図１Ａ】
0003199182.tif 000003
【図１Ｂ】
0003199182.tif 000004
【図２】
0003199182.tif 000005
【図３】
0003199182.tif 000006
【図４】
0003199182.tif 000007
【図５】
0003199182.tif 000008
【図６】
0003199182.tif 000009
【図７】
0003199182.tif 000010
【図８】
0003199182.tif 000011
【図９】
0003199182.tif 000012
【図１０】
0003199182.tif 000013
【図１１Ａ】
0003199182.tif 000014
【図１１Ｂ】
0003199182.tif 000015